(57)【特許請求の範囲】
【請求項１】
使用者の押圧操作によって、気管内や喉頭内に配置される呼吸補助用のカフ内に気体を送り込む送気部と、
前記カフ内の圧力を検出するカフ圧検出部と、
前記カフ圧検出部が検出した圧力を表示する表示部と、を備え、
前記送気部は、
前記押圧操作を受けた場合に内部容積が減少するように変形する弾性中空体と、
前記押圧操作の方向において前記弾性中空体と隣接するように配置される支持部材と、を備え、
前記弾性中空体は、前記支持部材の外側面の少なくとも一部に略沿うと共に、前記支持部材に向かう押圧方向に薄くなる扁平な形状に構成されることを特徴とする、
カフ圧調整装置。
【請求項２】
前記支持部材の内部に配置され、前記カフ圧検出部および前記表示部に電力を供給する電源部を備えることを特徴とする、
請求項１に記載のカフ圧調整装置。
【請求項３】
前記支持部材は、前記弾性中空体に向けて膨出する膨出部を備え、
前記弾性中空体は、前記膨出部の少なくとも一部を収容する凹部を備えることを特徴とする、
請求項１乃至２のいずれかに記載のカフ圧調整装置。
【請求項４】
前記カフ内の気体を外部に流出させる強制リリース口と、
前記カフの前記弾性中空体への接続および前記強制リリース口への接続を切り替える切替部と、を備えることを特徴とする、
請求項１乃至３のいずれかに記載のカフ圧調整装置。
【請求項５】
前記切替部は、非励磁状態において前記カフと前記弾性中空体を接続し、励磁状態において前記カフと前記強制リリース口を接続する電磁弁から構成されることを特徴とする、
請求項４に記載のカフ圧調整装置。
【請求項６】
使用者の操作によって前記カフ内の気体を外部に流出させる開放弁を備え、
前記開放弁は、前記切替部に対して前記カフ側に設けられることを特徴とする、
請求項４または５に記載のカフ圧調整装置。
【請求項７】
前記カフ圧検出部、前記表示部および前記切替部を制御する制御部を備え、
前記制御部は、前記カフ圧検出部が検出した圧力が所定の上限圧力より大きい場合に前記カフと前記強制リリース口を接続するように切替部を制御する加圧停止手段を備えることを特徴とする、
請求項４乃至６のいずれかに記載のカフ圧調整装置。
【請求項８】
前記制御部は、
通常の動作状態において前記カフ圧検出部が所定の判定期間に所定の第１の閾値以上の圧力を検出しなかった場合に、カフ圧調整装置を少なくとも前記表示部の表示を停止するスリープ状態とするスリープ手段と、
前記スリープ状態において前記カフ圧検出部が所定の第２の閾値以上の圧力を検出した場合に、カフ圧調整装置を前記通常の動作状態に復帰させる復帰手段と、を備えることを特徴とする、
請求項７に記載のカフ圧調整装置。
【請求項９】
前記押圧操作を検出する押圧操作検出部を備え、
前記復帰手段は、前記スリープ状態において前記押圧操作検出部が前記押圧操作を検出した場合に、カフ圧調整装置を前記通常の動作状態に復帰させることを特徴とする、
請求項８に記載のカフ圧調整装置。
【請求項１０】
前記押圧操作を検出する押圧操作検出部を備え、
前記押圧操作検出部が前記押圧操作を検出した場合に起動することを特徴とする、
請求項７または８に記載のカフ圧調整装置。
【請求項１１】
前記カフ圧検出部は、２つの圧力検出器を備え、
前記制御部は、前記２つの圧力検出器の出力の差が所定の範囲を超えた場合に、異常と判定する異常判定手段を備えることを特徴とする、
請求項７乃至１０のいずれかに記載のカフ圧調整装置。
【請求項１２】
前記制御部に制御されて光を発する発光部を備え、
前記制御部は、前記カフ圧検出部が検出した圧力に応じて発光態様を変化させるように前記発光部を制御する報知手段を備えることを特徴とする、
請求項７乃至１１のいずれかに記載のカフ圧調整装置。
【請求項１３】
前記発光部は、前記表示部を背後から照明するバックライト照明として兼用されることを特徴とする、
請求項１２に記載のカフ圧調整装置。
【発明の詳細な説明】
【技術分野】
【０００１】
本発明は、気管挿管または気管切開によって気管内に挿入される気管内チューブ（気管切開チューブ）等に設けられたカフ内の圧力を調整するカフ圧調整装置に関する。
【背景技術】
【０００２】
従来、自発呼吸が困難な患者に対して人工呼吸を行う場合には、気管挿管または気管切開によって患者の気管内に気管内チューブ（気管切開チューブ）を挿入して気道を確保し、この気管内チューブに人工呼吸器等を接続している。図７は、従来使用されている一般的な気管内チューブ１００の一例を示した図である。
【０００３】
同図に示されるように、気管内チューブ１００は、チューブ１０１と、チューブ１０１の一端（基端）に設けられる人工呼吸器等の接続用のコネクタ１０２と、チューブ１０１の他端（先端）に設けられるカフ１０３と、カフ１０３内に空気を導入して膨張（インフレーション）させるためのインフレーションチューブ１０４と、インフレーションチューブ１０４のカフ１０３の反対側に設けられるパイロットバルーン１０５およびルアーバルブ１０６と、を備えている。
【０００４】
このうち、カフ１０３は、チューブ１０１を気管内に挿入した後に膨張させることで、上気道と下気道を遮断し、これにより、肺に空気等を効率的に送り込むと共に、唾液等の分泌物が下気道に進入しないようにするものである。そして、カフ１０３を膨張させる場合には、ルアーバルブ１０６に接続した注射器（シリンジ）によってカフ１０３を膨張させると共に、パイロットバルーン１０５を指で押圧した感触によってカフ１０３が適正な内圧（カフ圧）で膨張したか否かを確認するといった方法が一般に行われている。
【０００５】
このカフ圧は、低すぎる場合には肺に送り込む空気等が上気道に漏れるだけでなく、下気道に分泌物等が進入して感染症等を引き起こすといった問題が生じ、高すぎる場合には気管粘膜を圧迫して損傷させるといった問題が生じるため、一般に２２〜３２ｃｍＨ２Ｏの範囲内で管理することが推奨されている。
【０００６】
このため、近年では、カフ圧をより正確に管理すべく、カフ１０３に空気を導入する送気球および圧力計を備えた専用のカフ圧計（気管内チューブカフインフレータ）を、注射器に代えて使用する医療機関が増えてきている（例えば、非特許文献１参照）。
【先行技術文献】
【非特許文献】
【０００７】
【非特許文献１】コヴィディエン  ジャパン株式会社、"ハイ・ロー・ハンドカフ圧ゲージII"、［online］、独立行政法人  医薬品医療機器総合機構、[平成２７年２月２５日検索]、インターネット〈URL：http://www.info.pmda.go.jp/ygo/pack/610015/13B1X00069VB001A_A_09_01/〉
【発明の概要】
【発明が解決しようとする課題】
【０００８】
しかしながら、上記非特許文献１に記載されているような従来のカフ圧計では、細かな使い勝手が考慮されていない場合が多く、微妙なカフ圧の調整を迅速且つ正確に行うことが困難な場合があるという問題があった。特に、カフ１０３の容積よりも過大な容積の送気球を備えることから、送気球の１回の押圧操作でもカフ圧が過剰に上昇しやすいため、押圧操作をゆっくりと慎重に行う必要があった。
【０００９】
また、フェイルセーフやフールプルーフといったことも余り考慮されていないため、経験の浅い医療従事者が使用する場合や、在宅介護等で一般人が使用する場合には、より慎重な操作が要求されると共に、適切な操作間隔を得るまでに時間を要するという問題があった。
【００１０】
本発明は、斯かる実情に鑑み、使い勝手および安全性を向上させたカフ圧調整装置を提供しようとするものである。
【課題を解決するための手段】
【００１１】
（１）本発明は、使用者の押圧操作によってカフ内に気体を送り込む送気部と、前記カフ内の圧力を検出するカフ圧検出部と、前記カフ圧検出部が検出した圧力を表示する表示部と、を備え、前記送気部は、前記押圧操作を受けた場合に内部容積が減少するように変形する弾性中空体と、前記押圧操作の方向において前記弾性中空体と隣接するように配置される支持部材と、を備えることを特徴とする、カフ圧調整装置である。
【００１２】
（２）本発明はまた、前記弾性中空体は、前記支持部材の外側面の少なくとも一部に略沿う扁平な形状に構成されることを特徴とする、上記（１）に記載のカフ圧調整装置である。
【００１３】
（３）本発明はまた、前記支持部材の内部に配置され、前記カフ圧検出部および前記表示部に電力を供給する電源部を備えることを特徴とする、上記（１）または（２）に記載のカフ圧調整装置である。
【００１４】
（４）本発明はまた、前記支持部材は、前記弾性中空体に向けて膨出する膨出部を備え、前記弾性中空体は、前記膨出部の少なくとも一部を収容する凹部を備えることを特徴とする、上記（１）乃至（３）のいずれかに記載のカフ圧調整装置である。
【００１５】
（５）本発明はまた、前記カフ内の気体を外部に流出させる強制リリース口と、前記カフの前記弾性中空体への接続および前記強制リリース口への接続を切り替える切替部と、を備えることを特徴とする、上記（１）乃至（４）のいずれかに記載のカフ圧調整装置である。
【００１６】
（６）本発明はまた、前記切替部は、非励磁状態において前記カフと前記弾性中空体を接続し、励磁状態において前記カフと前記強制リリース口を接続する電磁弁から構成されることを特徴とする、上記（５）に記載のカフ圧調整装置である。
【００１７】
（７）本発明はまた、使用者の操作によって前記カフ内の気体を外部に流出させる開放弁を備え、前記開放弁は、前記切替部に対して前記カフ側に設けられることを特徴とする、上記（５）または（６）に記載のカフ圧調整装置である。
【００１８】
（８）本発明はまた、前記カフ圧検出部、前記表示部および前記切替部を制御する制御部を備え、前記制御部は、前記カフ圧検出部が検出した圧力が所定の上限圧力より大きい場合に前記カフと前記強制リリース口を接続するように切替部を制御する加圧停止手段を備えることを特徴とする、上記（５）乃至（７）のいずれかに記載のカフ圧調整装置である。
【００１９】
（９）本発明はまた、前記制御部は、通常の動作状態において前記カフ圧検出部が所定の判定期間に所定の第１の閾値以上の圧力を検出しなかった場合に、カフ圧調整装置を少なくとも前記表示部の表示を停止するスリープ状態とするスリープ手段と、前記スリープ状態において前記カフ圧検出部が所定の第２の閾値以上の圧力を検出した場合に、カフ圧調整装置を前記通常の動作状態に復帰させる復帰手段と、を備えることを特徴とする、上記（８）に記載のカフ圧調整装置である。
【００２０】
（１０）本発明はまた、前記押圧操作を検出する押圧操作検出部を備え、前記復帰手段は、前記スリープ状態において前記押圧操作検出部が前記押圧操作を検出した場合に、カフ圧調整装置を前記通常の動作状態に復帰させることを特徴とする、上記（９）に記載のカフ圧調整装置である。
【００２１】
（１１）本発明はまた、前記押圧操作を検出する押圧操作検出部を備え、前記押圧操作検出部が前記押圧操作を検出した場合に起動することを特徴とする、上記（８）または（９）に記載のカフ圧調整装置である。
【００２２】
（１２）本発明はまた、前記カフ圧検出部は、２つの圧力検出器を備え、前記制御部は、前記２つの圧力検出器の出力の差が所定の範囲を超えた場合に、異常と判定する異常判定手段を備えることを特徴とする、上記（８）乃至（１１）のいずれかに記載のカフ圧調整装置である。
【００２３】
（１３）本発明はまた、前記制御部に制御されて光を発する発光部を備え、前記制御部は、前記カフ圧検出部が検出した圧力に応じて発光態様を変化させるように前記発光部を制御する報知手段を備えることを特徴とする、上記（８）乃至（１２）のいずれかに記載のカフ圧調整装置である。
【００２４】
（１４）本発明はまた、前記発光部は、前記表示部を背後から照明するバックライト照明として兼用されることを特徴とする、上記（１３）に記載のカフ圧調整装置である。
【発明の効果】
【００２５】
本発明に係るカフ圧調整装置によれば、使い勝手および安全性を向上させることが可能という優れた効果を奏し得る。
【図面の簡単な説明】
【００２６】
【図１】（ａ）本発明の実施形態に係るカフ圧調整装置の概略平面図である。（ｂ）カフ圧調整装置の概略正面図である。（ｃ）図１（ａ）のＡ−Ａ断面図である。
【図２】（ａ）〜（ｃ）カフ圧調整装置の作動を示した概略断面図である。
【図３】（ａ）〜（ｃ）制御部による制御の状態を示したブロック図である。
【図４】（ａ）〜（ｃ）制御部による制御の状態を示したブロック図である。
【図５】（ａ）および（ｂ）制御部による制御の状態を示したブロック図である。
【図６】（ａ）および（ｂ）カフ圧調整装置のその他の形態の例を示した概略断面図である。
【図７】従来使用されている一般的な気管内チューブの一例を示した図である。
【発明を実施するための形態】
【００２７】
以下、本発明の実施の形態を、添付図面を参照して説明する。
【００２８】
図１（ａ）は、本実施形態に係るカフ圧調整装置１の概略平面図であり、同図（ｂ）は、カフ圧調整装置１の概略正面図であり、同図（ｃ）は、同図（ａ）のＡ−Ａ断面図である。これらの図に示されるように、カフ圧調整装置１は、送気部１０と、流通路２０と、カフ圧検出部３０と、切替部４０と、押圧操作検出部５０と、表示部６０と、音声出力部７０と、電源部８０と、制御部９０と、を備えている。
【００２９】
送気部１０は、使用者の押圧操作によってカフ１０３内に気体（空気）を導入するものである。本実施形態では、使用者が片手で送気部１０を握ることでカフ圧調整装置１を持ち、そのまま手を握り締めることによってカフ１０３内に空気を導入することができるように構成されている。より詳細に、送気部１０は、略棒状に構成された支持部材１２と、支持部材１２の下方に隣接して配置された弾性中空体１４とを備えている。
【００３０】
支持部材１２は、流通路２０およびカフ圧検出部３０その他の各部を収容したケーシング２の一部であり、適宜の剛性を有する樹脂等の材質から構成されている。支持部材１２は、使用者が保持する部分であるため、握りやすいように平面視が略紡錘状となる略棒状に構成されている。また、支持部材１２の下面１２ａには、弾性中空体１４に向けて膨出する膨出部１６が設けられている。
【００３１】
弾性中空体１４は、ゴムまたは樹脂等の適宜の弾性体から構成された送気球である。すなわち、弾性中空体１４は、外側から押圧されて内部容積が減少するように変形することで、流通路２０に向けて空気を吐出するように構成された一種のポンプである。弾性中空体１４は、ケーシング２に設けられた内部接続部２２を介して流通路２０に接続されている。また、弾性中空体１４は、図示を省略した逆止弁を備えており、一旦変形した後に復元する場合には、外部の空間から空気を取り入れ、流通路２０からは空気を取り入れないように構成されている。
【００３２】
弾性中空体１４は、膨出部１６を収容する凹部１４ａを備えた扁平な形状に構成されており、支持部材１２の外側面の一部である下面１２ａに略沿うようにして配置されている。本実施形態では、弾性中空体１４をこのように構成することで、送気部１０の握りやすさを損なうことなく、１回の押圧操作（すなわち、１回の握り締め）によって吐出される空気の量を少なくするようにしている。このようにすることで、カフ圧が過剰に上昇する可能性を低減し、カフ圧調整装置１の使い勝手および安全性を向上させることができる。
【００３３】
なお、ケーシング２には、電源ボタン４、モード切替ボタン６およびリリースボタン８が設けられている。電源ボタン４は、電源オン／オフの切替操作を行うためのものである。また、モード切替ボタン６は、カフ圧調整装置１の動作モードの切替操作を行うためのものである。また、リリースボタン８は、カフ１０３内の圧力を逃がすリリース操作を行うためのものである。本実施形態では、送気部１０の支持部材１２にモード切替ボタン６およびリリースボタン８を設けることで、使用者が送気部１０を握った状態において親指で操作可能な位置にこれらのボタンを配置している。また、電源ボタン４をモード切替ボタン６およびリリースボタン８から離隔した位置に配置することで、使用中の誤操作によって不用意に電源がオフになるのを防止している。
【００３４】
流通路２０は、弾性中空体１４から吐出された空気が流れる通路であり、ケーシング２の内部に設けられている。流通路２０の一端には、弾性中空体１４に接続される内部接続部２２が設けられ、他端には、ルアーバルブ１０６に接続される外部接続部２４が設けられている。このうち、内部接続部２２には、流通路２０から弾性中空体１４内への空気の流入を防止するための逆止弁が設けられている。また、流通路２０の途中には、バッファタンク２６および開放弁２８が設けられると共に、カフ圧検出部３０、切替部４０が接続されている。
【００３５】
バッファタンク２６は、所定の容積に構成されケーシング２内に配置されたタンクであり、弾性中空体１４を押圧操作する際の急激な圧力変動および流量変動を吸収するものである。また、開放弁２８は、リリース口２８ａを介して流通路２０を大気開放することで、カフ１０３内の圧力を外部に逃がすための弁である。開放弁２８は、上述のリリースボタン８の操作によって開閉されるように構成されている。なお、開放弁２８は、リリースボタン８の操作によって機械的に開閉される弁であってもよいし、電気的に開閉される電磁弁等であってもよい。
【００３６】
カフ圧検出部３０は、カフ圧、すなわちカフ１０３内部の圧力を検出するためのものである。カフ圧検出部３０は、制御部９０と電気的に接続された２つの圧力検出器３２を備えており、これら２つの圧力検出器３２は、検出した圧力に応じた信号出力をそれぞれ制御部９０に送信するようになっている。制御部９０は、２つの信号出力を比較し、その差が所定の範囲内であれば、２つの信号出力のいずれか一方または平均からカフ圧を導出する。また、２つの信号出力の差が所定の範囲を超える場合には、制御部９０はカフ圧の検出が異常と判定し、警報を発する。
【００３７】
本実施形態では、このように圧力検出器３２を２つ設け、２つの信号出力を比較することで、圧力検出器３２に異常が生じた場合にもこれを即座に発見し、安全性を高めることを可能としている。なお、圧力検出器３２の構造は、特に限定されるものではなく、既知の各種圧力センサを圧力検出器３２として採用することができる。また、圧力検出器３２は、流通路２０を分岐させて接続されるものであってもよい。
【００３８】
切替部４０は、外部接続部２４（すなわち、カフ１０３）の弾性中空体１４への接続と、強制リリース口４２への接続とを切り替えるものである。すなわち、切替部４０は、弾性中空体１４との接続によってカフ１０３内の圧力の維持または上昇を可能とするか、ケーシング２外に向けて開口した強制リリース口４２との接続によってカフ１０３内の圧力を外部に逃がして低下させるかを切り替えるものである。
【００３９】
本実施形態では、このように切替部４０を設けることで、カフ１０３内の圧力を強制的に低下させると共に弾性中空体１４を押圧操作してもカフ１０３に空気が導入されない状態を設定することを可能とし、これにより、カフ圧調整装置１の使い勝手および安全性を向上させている。なお、本実施形態では、切替部４０を３ポート電磁弁から構成しているが、切替部４０の構造は特に限定されるものではなく、複数の電磁弁を組み合わせる等、その他の既知の構造を採用することができる。
【００４０】
また、切替部４０は、流通路２０において、カフ圧検出部３０および開放弁２８よりも弾性中空体１４側に接続されている。従って、切替部４０によって外部接続部２４が強制リリース口４２と接続されている場合においても、カフ圧検出部３０はカフ圧を検出することが可能となっている。また、外部接続部２４が強制リリース口４２と接続されている場合に、さらに開放弁２８を開くことで、より迅速にカフ圧を低下させることが可能となっている。
【００４１】
押圧操作検出部５０は、弾性中空体１４が押圧操作されたことを検出するものである。本実施形態では、押圧操作検出部５０を適宜の検出スイッチから構成し、支持部材１２の弾性中空体１４側に配置するようにしている。すなわち、押圧操作検出部５０は、弾性中空体１４への押圧操作に伴って押圧されることでスイッチがオンとなり、これにより弾性中空体１４が押圧操作されたことを検出するように構成されている。
【００４２】
本実施形態では、このように押圧操作検出部５０を設けることで、弾性中空体１４の押圧操作に基づく電源オフ状態からの起動やスリープ状態からの復帰を可能とし、これにより、カフ圧調整装置１の使い勝手および安全性を向上させている。なお、押圧操作検出部５０の構造は、特に限定されるものではなく、既知の各種スイッチ等を押圧操作検出部５０として採用することができる。また、押圧操作検出部５０は、弾性中空体１４内の圧力上昇や、弾性中空体１４から流出する気流を検出することによって弾性中空体１４が押圧操作されたことを検出するものであってもよい。
【００４３】
表示部６０は、カフ圧検出部３０が検出したカフ圧を表示すると共に、その他の各種情報を表示するものである。本実施形態では、表示部６０を液晶表示装置から構成すると共に、赤、青および緑の三色に発光可能なバックライト６２を備えるようにしている。そして、このバックライト６２をカフ圧検出部３０が検出した圧力に応じて異なる色で発光させることで、表示部６０の表示を読み取らなくても、現在のカフ圧のレベルを使用者が即座に把握可能とし、これにより、カフ圧調整装置１の使い勝手および安全性を向上させている。
【００４４】
なお、表示部６０は、カフ圧検出部３０が検出したカフ圧を数値として表示するものであってもよいし、指針やバー等の表示によってカフ圧をアナログ的に表示するものであってもよい。また、液晶表示装置に代えて、例えば電子ペーパー等の他の表示装置を表示部６０として採用するようにしてもよい。
【００４５】
音声出力部７０は、各種音声を出力するものであり、適宜のスピーカを備えて構成されている。本実施形態では、バックライト６２の発光と共に、音声出力部７０からの報知音の出力態様をカフ圧検出部３０が検出した圧力に応じて異ならせるようにしている。すなわち、本実施形態では、表示部６０を視認しなくても、現在のカフ圧のレベルを使用者が即座に把握可能となっており、これにより、カフ圧調整装置１の使い勝手および安全性を向上させている。
【００４６】
電源部８０は、カフ圧検出部３０、切替部４０、押圧操作検出部５０、表示部６０、音声出力部７０および制御部９０等を動作させるための電力を供給するものである。電源部８０は、具体的には、２本の単３形乾電池およびこれらを保持する電池ホルダから構成されているが、その他の各種一次電池または二次電池を採用するようにしてもよい。また、ケーシング２に二次電池の充電用端子を設け、二次電池を収容したまま充電可能に構成するようにしてもよい。
【００４７】
電源部８０は、送気部１０の支持部材１２内に配置されている。本実施形態では、比較的重量のある電源部８０を支持部材１２内部に配置することで、ケーシング２内のスペースを有効活用してカフ圧調整装置１全体をコンパクトに構成すると共に、カフ圧調整装置１の重量バランスを最適化するようにしている。すなわち、カフ圧調整装置１をコンパクトに構成し、さらに使用者が握る送気部１０の近くに重心位置を設定することで、カフ圧調整装置１を手に持った際に生じるモーメントを低減することができるため、重量感を軽減すると共に、軽い操作感を実現することが可能となっている。
【００４８】
制御部９０は、ＣＰＵ、ＲＯＭ、ＲＡＭ等を備えて構成され、カフ圧調整装置１全体を制御するものである。制御部９０は、ＣＰＵがＲＯＭ等に記憶されたプログラムを実行することによって実現される機能構成として、カフ圧調整装置１各部の基本的な制御を行う基本制御手段９１と共に、加圧停止手段９２と、スリープ手段９３と、復帰手段９４と、異常判定手段９５と、報知手段９６と、を備えている。
【００４９】
加圧停止手段９２は、カフ圧検出部３０が検出した圧力が所定の第１の圧力（上限圧力）より大きい場合に、外部接続部２４（すなわち、カフ１０３）と強制リリース口４２を接続するように切替部４０を制御し、カフ１０３内の圧力を強制的に低下させると共に、送気部１０を押圧操作してもカフ圧が上昇しないようにするものである。スリープ手段９３は、カフ圧調整装置１が通常の動作状態において所定の判定期間（本実施形態では、１分間）に所定の第１の閾値（本実施形態では、５ｃｍＨ２Ｏ）以上の圧力を検出しなかった場合に、表示部６０の表示、バックライト６２の発光および音声出力部７０の出力を停止し、カフ圧調整装置１をスリープ状態（省電力状態）とするものである。
【００５０】
復帰手段９４は、スリープ状態において、カフ圧検出部３０が所定の第２の閾値（本実施形態では、５ｃｍＨ２Ｏ）以上の圧力を検出した場合、押圧操作検出部５０が弾性中空体１４の押圧操作を検出した場合、または電源ボタン４が操作された場合に、カフ圧調整装置１をスリープ状態から通常の動作状態に復帰させるものである。異常判定手段９５は、２つの圧力検出器３２の出力の差が所定の範囲（本実施形態では、±４ｃｍＨ２Ｏ）外となった状態が所定の期間（本実施形態では、２秒間）継続した場合に異常と判定し、バックライト６２を所定の態様で発光させる（本実施形態では、赤色で点滅させる）と共に、音声出力部７０から所定の警報音を出力することで、異常の発生を報知するものである。
【００５１】
報知手段９６は、カフ圧検出部３０が検出した圧力に応じて発光態様を変化させるようにバックライト６２を制御すると共に、カフ圧検出部３０が検出した圧力に応じて報知音の出力態様を変化させるように音声出力部７０を制御することで、現在のカフ圧のレベルを表示部６０におけるカフ圧の表示とは別に報知するものである。
【００５２】
本実施形態では、制御部９０の動作モードとしてＴモード、ＬモードおよびＦモードの３つのモードを設定している。このうち、Ｔ（Ｔｒａｃｈｅａｌ）モードは、気管内チューブ１００に設けられたカフ１０３の圧力調整を想定した動作モードであり、Ｌ（Ｌａｒｙｎｇｅａｌ）モードは、ラリンゲル（またはラリンゲアル、ラリンジアル）マスクに設けられたカフの圧力調整に最適化された動作モードである。すなわち、本実施形態のカフ圧調整装置１は、カフによって喉頭を閉塞することで気管内にチューブを挿入しないラリンゲルマスクのカフ圧調整にも使用することが可能となっている。
【００５３】
ＴモードおよびＬモードにおいて報知手段９６は、カフ圧が所定の第２の圧力（下限圧力）未満の場合にはバックライト６２を緑色に発光させ、カフ圧が上述の第１の圧力（上限圧力）より大きい場合にはバックライト６２を赤色に発光させ、カフ圧が第２の圧力以上第１の圧力以下の場合にはバックライト６２を青色に発光させる。また、報知手段９６は、カフ圧が第２の圧力未満の場合には音声出力部７０に１秒間継続する報知音を１秒おきに出力させ、カフ圧が第１の圧力より大きい場合には音声出力部７０に報知音を連続的に出力させ、カフ圧が第２の圧力以上第１の圧力以下の場合には音声出力部７０に報知音を出力させない。
【００５４】
なお、Ｔモードでは、気管内チューブ１００におけるカフ１０３の推奨圧力の上限値である３２ｃｍＨ２Ｏに第１の圧力が設定され、推奨圧力の下限値である２２ｃｍＨ２Ｏに第２の圧力が設定されるようになっている。また、Ｌモードでは、ラリンゲルマスクにおけるカフの推奨圧力の上限値である６０ｃｍＨ２Ｏに第１の圧力が設定され、推奨圧力の下限値である５０ｃｍＨ２Ｏに第２の圧力が設定されるようになっている。すなわち、ＴモードおよびＬモードにおいて報知手段９６は、カフ圧が推奨圧力範囲よりも低い場合、推奨圧力範囲内である場合、および推奨圧力範囲よりも高い場合ごとに異なる報知態様でバックライト６２および音声出力部７０による報知を行う。
【００５５】
従って、ＴモードおよびＬモードにおいて使用者は、表示部６０の表示を読み取ることなく、カフ圧が推奨圧力範囲内であるか否か、およびカフ圧が推奨圧力範囲から外れている場合は推奨圧力範囲よりも低いのか高いのかを迅速に把握することが可能となっている。また、ＴモードおよびＬモードにおいてカフ圧が推奨圧力範囲を超えた場合には、上述のように加圧停止手段９２が切替部４０を制御して強制リリース口４２を外部接続部２４と接続するため、カフ圧は自動的に低下するようになっている。
【００５６】
Ｆ（Ｆｒｅｅ）モードは、カフ圧調整装置１を従来のカフ圧計と同様に使用するための動作モードであり、第１の圧力のみがカフ圧調整装置１による圧力測定の上限値である１２２ｃｍＨ２Ｏに設定される。Ｆモードにおいて報知手段９６は、カフ圧が第１の圧力以下の場合には、バックライト６２を緑色に発光させると共に音声出力部７０に報知音を出力させない。また、Ｆモードにおいて報知手段９６は、カフ圧が第１の圧力より大きい場合には、バックライト６２を赤色に発光させると共に音声出力部７０に報知音を連続的に出力させる。従って、使用者は、表示部６０の表示を読み取ることなく、カフ圧が測定上限値を超えていることを迅速に把握することが可能となっている。また、Ｆモードにおいてカフ圧が測定上限値を超えた場合には、上述のように加圧停止手段９２が強制リリース口４２と外部接続部２４を接続するように切替部４０を制御し、カフ１０３内の圧力を低下させる。
【００５７】
なお、本実施形態ではＴモードをデフォルトの動作モードとしており、電源投入直後は、制御部９０がＴモードで動作するようになっている。そして、電源投入後にモード切替ボタン６を１回操作するごとに、Ｔモード→Ｌモード→Ｆモード→Ｔモードの順に、ローテーションで動作モードが切り替わるようになっている。
【００５８】
図２（ａ）〜（ｃ）は、カフ圧調整装置１の作動を示した概略断面図であり、図１（ａ）のＡ−Ａ線断面図である。図２（ａ）は、切替部４０が弾性中空体１４を外部接続部２４と接続した状態を示している。カフ１０３を膨張させる場合には、この状態において、送気部１０を握った手で弾性中空体１４を支持部材に向けて押圧し、内部容積が減少するように変形させる。これにより、弾性中空体１４内の空気が流通路２０に向けて押し出され、カフ１０３内に空気が送り込まれることとなる。
【００５９】
次に、弾性中空体１４に対する押圧力を解除すると、弾性中空体１４は弾性変形の復元力によって元の形状に戻り、その際の負圧によって外部の空気が、図示を省略した逆止弁を介して弾性中空体１４内に導入される。これにより、次の押圧操作によって吐出される空気が弾性中空体１４内に充填される。
【００６０】
本実施形態では、弾性中空体１４を扁平に構成しているため、互いに対向する支持部材側外壁１４ｂおよび反支持部材側外壁１４ｃが接触するまで弾性中空体１４を変形させた場合にも、カフ１０３に送り込まれる空気の量が少ないものとなっている。具体的には、弾性中空体１４は、支持部材側外壁１４ｂと反支持部材側外壁１４ｃを接触させる押圧操作を３〜６回以上行った場合に、一般的な気管内チューブ１００に設けられたカフ１０３内の圧力（カフ圧）が推奨圧力の上限（第１の圧力）を超えるように設定されており、これにより、カフ圧が過剰に上昇する可能性が低くなっている。
【００６１】
さらに、本実施形態では、弾性中空体１４を扁平に構成して１回の押圧操作のストローク（距離）を短くすることで、押圧操作およびその後の復元による空気の再充填を迅速に行うことが可能となっている。また、支持部材１２を押圧方向（本実施形態では上下方向）において弾性中空体１４に隣接させることにより、支持部材１２を押圧操作のストッパとして機能させ、１回の押圧操作の終了を使用者が明確に認識できるようにしている。すなわち、使用者は、複数回の押圧操作を迅速に行うことが可能であるだけでなく、１回の押圧操作ごとに、所定の空気量を確実にカフ１０３内に送り込むことが可能となっている。また、弾性中空体１４を扁平に構成すると共に支持部材１２をストッパとして機能させることで、既知の各種スイッチ等からなる押圧操作検出部５０によって簡便且つ正確に押圧操作を検出することが可能となっている。
【００６２】
図２（ｂ）は、切替部４０が強制リリース口４２を外部接続部２４と接続した状態を示している。この状態では、カフ１０３内の空気が強制リリース口４２を介して外部に流出するため、カフ圧は低下することとなる。また、この状態では弾性中空体１４と外部接続部２４の間が切替部４０によって遮断されるため、弾性中空体１４を変形させたとしても、弾性中空体１４から吐出された空気はカフ１０３内には送り込まれない。すなわち、本実施形態では、切替部４０によって外部接続部２４の接続を切り替えることで、カフ圧を強制的に低下させるだけでなく、誤操作等によって弾性中空体１４が変形した場合にも、カフ圧が上昇しないようになっている。また、切替部４０が強制リリース口４２を外部接続部２４と接続した状態で弾性中空体１４を押圧操作した場合、弾性中空体１４内の圧力が上昇することとなるため、使用者は、押圧操作時の手応えの違いによっても切替部４０の接続状態を把握することが可能となっている。
【００６３】
なお、切替部４０が弾性中空体１４を外部接続部２４と接続した状態では、強制リリース口４２に繋がるポートが閉塞され、切替部４０が強制リリース口４２を外部接続部２４と接続した状態では、弾性中空体１４側の流通路２０に繋がるポートが閉塞されることは言うまでもない。
【００６４】
図２（ｃ）は、リリースボタン８を操作して開放弁２８を開いた状態を示している。このように、開放弁２８を開くことで、カフ１０３内の空気はリリース口２８ａを介して外部に流出することとなり、カフ圧が低下する。すなわち、本実施形態では、リリースボタン８の操作によってカフ圧を微調整することが可能となっている。
【００６５】
次に、制御部９０による制御の詳細をカフ圧調整装置１の使用手順に沿って説明する。図３（ａ）〜（ｃ）、図４（ａ）〜（ｃ）ならびに図５（ａ）および（ｂ）は、制御部９０による制御の状態を示したブロック図である。なお、カフ圧調整装置１は、電源オフ状態では、切替部４０は外部接続部２４と弾性中空体１４を接続した状態となっている。すなわち、本実施形態では、切替部４０を構成する電磁弁は非励磁状態で外部接続部２４と弾性中空体１４を接続し、励磁状態で外部接続部２４と強制リリース口４２を接続するようになっている。
【００６６】
外部接続部２４を気管内チューブ１００のルアーバルブ１０６に接続した後に、図３（ａ）に示されるように、電源オフ状態で使用者の電源ボタン４の操作、または送気部１０を押圧操作により電源が投入されると、電源部８０の電力がカフ圧調整装置１の各部に供給され、制御部９０は、動作モードをＴモードに設定して各部の制御を開始する。すなわち、カフ圧調整装置１が起動する。
【００６７】
具体的には、図３（ｂ）に示されるように、制御部９０の基本制御手段９１が、カフ圧検出部３０を制御し、カフ圧検出部３０からの信号出力を受信する。そして、基本制御手段９１は、カフ圧検出部３０から受信した信号出力に基づいてカフ圧を導出する。基本制御手段９１はまた、表示部６０を制御してカフ圧検出部３０が検出した現在のカフ圧を表示部６０に表示させると共に、例えば電池残量等のその他の各種情報を表示部６０に表示させる。
【００６８】
また、制御部９０の異常判定手段９５は、カフ圧検出部３０の２つの圧力検出器３２の信号出力を比較し、その差が所定の範囲外となった場合には、バックライト６２および音声出力部７０を制御して警報を発する。また、制御部９０の報知手段９６は、カフ圧検出部３０が検出したカフ圧に基づいてバックライト６２および音声出力部７０を制御して現在のカフ圧のレベルを報知する。通常、電源投入直後のカフ圧は、第２の圧力未満であるため、報知手段９６は、バックライト６２を緑色に発光させると共に、音声出力部７０に１秒間継続する報知音を１秒おきに出力させることとなる。
【００６９】
電源投入後、図３（ｃ）に示されるように、使用者が送気部１０を押圧操作することによってカフ圧が上昇することとなる。本実施形態では、送気部１０の押圧操作によってもカフ圧調整装置１を電源オフ状態から起動することができるため、起動後のカフ圧調整のための送気部１０の押圧操作を、起動からの一連の動作として迅速に行うことが可能となっている。
【００７０】
使用者の押圧操作の結果、カフ圧検出部３０が検出したカフ圧が第２の圧力以上第１の圧力以下となった場合、報知手段９６は、バックライト６２の発光を緑色から青色に変更すると共に、音声出力部７０からの報知音の出力を停止する。これにより、使用者は、カフ圧が推奨圧力の下限である第２の圧力を超え、略推奨圧力の範囲内となったことを容易に把握することができる。
【００７１】
使用者が送気部１０の押圧操作を続けて行った結果、検出したカフ圧が第１の圧力より大きくなった場合には、図４（ａ）に示されるように、制御部９０の加圧停止手段９２は、切替部４０を励磁状態として強制リリース口４２を外部接続部２４と接続する。これにより、カフ圧が第１の圧力以下に低下すると共に、送気部１０を押圧操作してもカフ圧を上昇させることが不可能となるため、カフ圧が推奨圧力の上限である第１の圧力を超えて過剰に上昇するのを確実に防止することができる。
【００７２】
また、制御部９０の報知手段９６は、検出したカフ圧が第１の圧力より大きくなった場合には、バックライト６２の発光を青色から赤色に変更すると共に、音声出力部７０に報知音を連続的に出力させる。これにより、使用者は、カフ圧が推奨圧力の上限である第１の圧力を超えたことを容易に把握することができる。
【００７３】
その後、強制リリース口４２からの空気の流出により、検出したカフ圧が第２の圧力以上第１の圧力以下となった場合、図４（ｂ）に示されるように、制御部９０の加圧停止手段９２は、切替部４０を非励磁状態として弾性中空体１４を外部接続部２４と接続する。これにより、強制リリース口４２からの空気の流出が止まり、カフ圧が保持されることとなる。また、報知手段９６は、バックライト６２の発光を赤色から青色に変更すると共に、音声出力部７０からの報知音の出力を停止する。
【００７４】
その後、使用者は、図４（ｃ）に示されるように、リリースボタン８を操作することにより、第２の圧力以上第１の圧力以下の範囲内でカフ圧を微調整することができる。リリースボタン８の操作によってカフ圧が第２の圧力未満まで低下した場合には、制御部９０の報知手段９６は、バックライト６２の発光を青色から緑色に変更すると共に、音声出力部７０に１秒間継続する報知音を１秒おきに出力させる。従って、使用者はカフ圧が下がりすぎたことを容易に把握することが可能であり、この場合、送気部１０を押圧操作することで再度カフ圧を上昇させることができる。
【００７５】
カフ圧の調整が完了したならば、使用者は外部接続部２４をルアーバルブ１０６から取り外し、電源ボタン４を操作して電源オフとする。これにより、制御部９０の動作は終了する。一方、外部接続部２４がルアーバルブ１０６から取り外された後に、所定の判定期間電源ボタン４が操作されなかった場合には、制御部９０のスリープ手段９３がカフ圧調整装置１をスリープ状態（省電力状態）とする。
【００７６】
具体的には、外部接続部２４がルアーバルブ１０６から取り外された後も、電源オン状態が継続する場合、カフ圧検出部３０が検出する圧力は略大気圧（０ｃｍＨ２Ｏ）となる。従って、制御部９０のスリープ手段９３は、カフ圧検出部３０が検出した圧力が第１の閾値以下となる状態が所定の判定期間継続した場合、図５（ａ）に示されるように、表示部６０の表示、バックライト６２の発光および音声出力部７０の出力を停止し、切替部４０を非励磁状態としたスリープ状態に、カフ圧調整装置１を移行させる。なお、基本制御手段９１は、スリープ状態においても、カフ圧検出部３０によるカフ圧の検出を継続して実行する。
【００７７】
スリープ状態からの復帰は、図５（ｂ）に示されるように、外部接続部２４の加圧されたカフ１０３への接続、電源ボタン４の操作、または送気部１０の押圧操作によって行われる。制御部９０の復帰手段９４は、外部接続部２４がルアーバルブ１０６に接続された結果、カフ圧検出部３０が第２の閾値以上のカフ圧を検出した場合、表示部６０の表示、バックライト６２の発光、音声出力部７０の出力等を行う通常の動作状態に、カフ圧検出装置１を移行させる。復帰手段９４はまた、電源ボタン４が操作された場合、および送気部１０が押圧操作されたことを押圧操作検出部５０が検出した場合にも、カフ圧検出装置１をスリープ状態から通常の動作状態に移行させる。
【００７８】
このように、電源ボタン４の操作に加え、加圧されたカフへの接続および送気部１０の押圧操作に基づいてスリープ状態から通常の動作状態に復帰するようにすることで、より迅速なスリープ状態からの復帰が可能となる。特に、送気部１０の押圧操作に基づいてスリープ状態から復帰させることで、復帰後のカフ圧調整のための送気部１０の押圧操作を、復帰からの一連の動作として迅速に行うことが可能となる。
【００７９】
なお、Ｌモードにおける制御部９０の制御は、第１の圧力および第２の圧力の設定が異なるだけで、上記と同様である。また、Ｆモードにおける制御部９０の制御は、第２の圧力が設定されない点、およびカフ圧検出部３０が検出したカフ圧が第１の圧力以下の場合に報知手段９６がバックライト６２を緑色に発光させると共に音声出力部７０に報知音を出力させない点以外は、上記と同様である。
【００８０】
次に、カフ圧調整装置１のその他の形態について説明する。図６（ａ）および（ｂ）は、カフ圧調整装置１のその他の形態の例を示した概略断面図である。図６（ａ）は、支持部材１２において膨出部１６を省略するようにした場合の一例を示している。このように、膨出部１６は必ずしも設ける必要はなく、支持部材１２および弾性中空体１４の形状やサイズ等に応じて省略することができる。また、弾性中空体１４の凹部１４ａと共に膨出部１６の大きさや形状を調整することで、送気部１０の１回の押圧操作によって吐出される空気の量や押圧操作のストロークを調整するようにしてもよい。また、場合によっては、支持部材１２の弾性中空体１４側の面（下面１２ａ）を窪ませるようにしてもよい。
【００８１】
図６（ｂ）は、カフ圧調整装置１を機械的に動作するように構成した場合の一例を示している。この例では、カフ圧検出部３０および表示部６０として機械式の圧力計を採用すると共に、切替部４０、押圧操作検出部５０、音声出力部７０、電源部８０および制御部９０を省略している。このように電気的な構成をなくすことで、カフ圧調整装置１をシンプル且つ軽量に構成すると共に、コストを低減することが可能となる。
【００８２】
なお、図６（ｂ）に示す例においても、支持部材１２と、押圧方向において支持部材１２に隣接して配置される弾性中空体１４と、から送気部１０を構成することにより、送気部１０の握りやすさを損なうことなく１回の押圧操作で吐出される空気の量、および押圧操作のストロークを適切に調整すると共に、支持部材１２を押圧操作のストッパとして機能させることができるため、従来のカフ圧計よりも使い勝手および安全性を向上させることが可能となる。また、図６（ｂ）に示す例においても膨出部１６を省略可能であることは言うまでもない。
【００８３】
以上説明したように、本実施形態に係るカフ圧調整装置１は、使用者の押圧操作によってカフ１０３内に気体を送り込む送気部１０と、カフ１０３内の圧力を検出するカフ圧検出部３０と、カフ圧検出部３０が検出した圧力を表示する表示部６０と、を備え、送気部１０は、押圧操作を受けた場合に内部容積が減少するように変形する弾性中空体１４と、押圧操作の方向（上下方向）において弾性中空体１４と隣接するように配置される支持部材１２と、を備えている。
【００８４】
このような構成とすることで、送気部１０の握りやすさを損なうことなく１回の押圧操作で吐出される空気の量、および押圧操作のストロークを適切に調整すると共に、支持部材１２を押圧操作のストッパとして機能させることができる。これにより、カフ圧が過剰に上昇する可能性を低減すると共に、押圧操作を容易にすることが可能となるため、従来のカフ圧計よりも使い勝手および安全性を向上させることができる。
【００８５】
また、弾性中空体１４は、支持部材１２の外側面の少なくとも一部（下面１２ａ）に略沿う扁平な形状に構成されている。このようにすることで、送気部１０の握りやすさを損なうことなく１回の押圧操作で吐出される空気の量を適宜に少なくすると共に、押圧操作のストロークを適宜に短くすることが可能となるため、使い勝手および安全性を向上させることができる。
【００８６】
また、カフ圧調整装置１は、支持部材１２の内部に配置され、カフ圧検出部３０および表示部６０に電力を供給する電源部８０を備えている。このようにすることで、カフ圧の検出および表示を電気的に行いながらも、カフ圧調整装置１全体をコンパクトに構成すると共に、カフ圧調整装置１の重量バランスを最適化することが可能となるため、使い勝手および安全性を向上させることができる。
【００８７】
また、支持部材１２は、弾性中空体１４に向けて膨出する膨出部１６を備え、弾性中空体１４は、膨出部１６の少なくとも一部を収容する凹部１４ａを備えている。このようにすることで、膨出部１６および凹部１４ａの形状や大きさを調整して１回の押圧操作で吐出される空気の量、および押圧操作のストロークを調整することが可能となるため、送気部１０の握りやすさと押圧操作の容易さを高いレベルで両立させることができる。
【００８８】
また、カフ圧調整装置１は、カフ１０３内の気体を外部に流出させる強制リリース口４２と、カフ１０３の弾性中空体１４への接続および強制リリース口４２への接続を切り替える切替部４０と、を備えている。このようにすることで、カフ圧を強制的に低下させると共に弾性中空体１４が変形してもカフ圧が上昇しない状態を設定することが可能となるため、使い勝手および安全性を向上させることができる。
【００８９】
また、切替部４０は、非励磁状態においてカフ１０３と弾性中空体１４を接続し、励磁状態においてカフ１０３と強制リリース口４２を接続する電磁弁から構成されている。このようにすることで、カフ圧を強制的に低下させる状態を限定的にすることが可能となるため、使い勝手および安全性を向上させることができる。
【００９０】
また、カフ圧調整装置１は、使用者の操作によってカフ１０３内の気体を外部に流出させる開放弁２８を備え、開放弁２８は、切替部４０に対してカフ１０３側に設けられている。このようにすることで、切替部４０の状態によらず、カフ圧を低下させることが可能となるため、使い勝手および安全性を向上させることができる。
【００９１】
また、カフ圧調整装置１は、カフ圧検出部３０、表示部６０および切替部４０を制御する制御部９０を備え、制御部９０は、カフ圧検出部３０が検出した圧力が所定の上限圧力（第１の圧力）より大きい場合にカフ１０３と強制リリース口４２を接続するように切替部４０を制御する加圧停止手段９２を備えている。このようにすることで、カフ圧が推奨圧力の上限を超えて過剰に上昇するのを確実に防止することが可能となるため、使い勝手および安全性を向上させることができる。
【００９２】
また、制御部９０は、通常の動作状態においてカフ圧検出部３０が所定の判定期間に所定の第１の閾値以上の圧力を検出しなかった場合に、カフ圧調整装置１を少なくとも表示部６０の表示を停止するスリープ状態とするスリープ手段９３と、スリープ状態においてカフ圧検出部３０が所定の第２の閾値以上の圧力を検出した場合に、カフ圧調整装置１を通常の動作状態に復帰させる復帰手段９４と、を備えている。このようにすることで、スリープ状態からの迅速な復帰が可能となるため、スリープ状態により消費電力を節減しながらも、使い勝手および安全性を向上させることができる。
【００９３】
また、カフ圧調整装置１は、押圧操作を検出する押圧操作検出部５０を備え、復帰手段９４は、スリープ状態において押圧操作検出部５０が押圧操作を検出した場合に、カフ圧調整装置１を通常の動作状態に復帰させる。このようにすることで、スリープ状態からの迅速な復帰と共に、カフ圧を調整するための押圧操作を復帰からの一連の動作として迅速に行うことが可能となるため、使い勝手および安全性を向上させることができる。
【００９４】
また、カフ圧調整装置１は、押圧操作を検出する押圧操作検出部５０を備え、押圧操作検出部５０が押圧操作を検出した場合に起動する。このようにすることで、電源オフ状態から容易にカフ圧調整装置１を起動すると共に、カフ圧を調整するための押圧操作を起動からの一連の動作として迅速に行うことが可能となるため、使い勝手および安全性を向上させることができる。
【００９５】
また、カフ圧検出部３０は、２つの圧力検出器３２を備え、制御部９０は、２つの圧力検出器３２の出力の差が所定の範囲を超えた場合に、異常と判定する異常判定手段９５を備えている。このようにすることで、カフ圧の検出に関する異常を迅速に発見することが可能となるため、使い勝手および安全性を向上させることができる。
【００９６】
また、カフ圧調整装置１は、制御部９０に制御され、光を発する発光部（バックライト６２）を備え、制御部９０は、カフ圧検出部３０が検出した圧力に応じて発光態様を変化させるように発光部を制御する報知手段９６を備えている。このようにすることで、表示部６０におけるカフ圧の表示を読み取ることなく、現在のカフ圧のレベルを使用者が容易に把握することが可能となるため、使い勝手および安全性を向上させることができる。
【００９７】
また、発光部は、表示部６０を背後から照明するバックライト照明として兼用されている。このようにすることで、簡素且つコンパクトな構成でありながらも、発光部による報知を使用者が把握しやすい態様で行うことができる。
【００９８】
以上、本発明の実施の形態について説明したが、本発明のカフ圧調整装置は、上記した実施の形態に限定されるものではなく、本発明の要旨を逸脱しない範囲内において種々変更を加え得ることは勿論である。例えば、カフ圧調整装置１を構成する各部の形状および配置構成は、上記実施形態において示したものに限定されず、その他の形状および配置構成を採用することができる。
【００９９】
また、弾性中空体１４は、支持部材１２の下面１２ａに略沿う形状のものに限定されず、下面１２ａ以外の支持部材１２の外側面に略沿う形状のものであってもよい。また、押圧操作の方向は、上下方向以外の方向であってもよい。また、表示部６０は、上方に向けて配置されるものに限定されず、その他の方向に向けて配置されるものであってもよい。
【０１００】
また、例えば表示部６０の周囲にリング状の発光部を設ける等、バックライト６２とは別に報知専用の発光部を設けるようにしてもよい。また、圧力検出器３２の信頼性が高い場合には、異常判定手段９５を省略し、カフ圧検出部３０に１つの圧力検出器３２を備えるようにしてもよい。
【０１０１】
また、上記実施形態において示した作用および効果は、本発明から生じる最も好適な作用および効果を列挙したものに過ぎず、本発明による作用および効果は、これらに限定されるものではない。
【産業上の利用可能性】
【０１０２】
本発明に係るカフ圧調整装置は、人や動物に対する医療の分野において利用することができる。
【符号の説明】
【０１０３】
１  カフ圧調整装置
１０  送気部
１２  支持部材
１４  弾性中空体
１４ａ  凹部
１６  膨出部
２８  開放弁
３０  カフ圧検出部
３２  圧力検出器
４０  切替部
４２  強制リリース口
５０  押圧操作検出部
６０  表示部
６２  バックライト
８０  電源部
９０  制御部
９２  加圧停止手段
９３  スリープ手段
９４  復帰手段
９５  異常判定手段
９６  報知手段
１０３  カフ
【要約】
【課題】使い勝手および安全性を向上させたカフ圧調整装置を提供する。
【解決手段】カフ圧調整装置１は、使用者の押圧操作によってカフ１０３内に気体を送り込む送気部１０と、カフ１０３内の圧力を検出するカフ圧検出部３０と、カフ圧検出部３０が検出した圧力を表示する表示部６０と、を備え、送気部１０は、押圧操作を受けた場合に内部容積が減少するように変形する弾性中空体１４と、押圧操作の方向において弾性中空体１４と隣接するように配置される支持部材１２と、を備えている。
【選択図】図１【図１】
0005977850.tif 000002
【図２】
0005977850.tif 000003
【図３】
0005977850.tif 000004
【図４】
0005977850.tif 000005
【図５】
0005977850.tif 000006
【図６】
0005977850.tif 000007
【図７】
0005977850.tif 000008